(57)【特許請求の範囲】
【請求項１】
路側無線装置を介してセンター装置と無線通信を行う通信部と、
前記センター装置から配信されたコンテンツを記憶する記憶部と、
前記記憶部に記憶されているコンテンツの再生画面を表示する表示部と、
前記再生画面を遷移するための操作部と、
前記表示部におけるコンテンツの再生画面の表示制御を行う制御部と、を備え、
前記制御部は、前記表示部に第１コンテンツの再生画面を表示させるとともに、前記操作部から操作信号が入力されたときに、前記第１コンテンツの遷移元となり得る第２コンテンツの再生画面を前記表示部に表示させ、
１つの第１コンテンツに対して遷移元となりうる複数の第２コンテンツがある場合、
前記操作部は、前記第１コンテンツの再生画面において、前記複数の第２コンテンツに対応して複数設けられ、
前記制御部は、前記複数の操作部のいずれかから操作信号が入力されたときに、対応する第２コンテンツの再生画面を前記表示部に表示させることを特徴とする車載器。
【請求項２】
路側無線装置を介してセンター装置と無線通信を行う通信部と、
前記センター装置から配信されたコンテンツを記憶する記憶部と、
前記記憶部に記憶されているコンテンツの再生画面を表示する表示部と、
前記再生画面を遷移するための操作部と、
前記表示部におけるコンテンツの再生画面の表示制御を行う制御部と、を備え、
前記制御部は、前記表示部に第１コンテンツの再生画面を表示させるとともに、前記操作部から操作信号が入力されたときに、前記第１コンテンツの遷移元となり得る第２コンテンツの再生画面を前記表示部に表示させ、
１つの第１コンテンツに対して遷移元となりうる複数の第２コンテンツがある場合、
前記制御部は、前記第１コンテンツの再生画面において、前記操作部から操作信号が入力されたときに、前記複数の第２コンテンツのリストを前記表示部に表示させるとともに、当該リストにおいて選択された第２コンテンツの再生画面を前記表示部に表示させることを特徴とする車載器。
【請求項３】
前記制御部は、前記リストにおいて選択された第２コンテンツの選択フラグをオンに設定し、
前記第１コンテンツの再生画面において、前記操作部から操作信号が入力されたときに、前記選択フラグがオンに設定されている第２コンテンツの再生画面を前記表示部に表示させることを特徴とする請求項２に記載の車載器。
【請求項４】
前記コンテンツには、当該コンテンツの遷移先となるコンテンツを示す次再生情報コードが含まれ、
前記制御部は、前記次再生情報コードに基づいて、前記遷移元となり得るコンテンツを設定することを特徴とする請求項１から３のいずれか一項に記載の車載器。
【請求項５】
前記コンテンツには、当該コンテンツの遷移先となるコンテンツを示す次再生情報コードが含まれ、
前記制御部は、前記次再生情報コードに基づいて、前記遷移元となり得るコンテンツを設定し、
前記次再生情報コードに基づいて第２コンテンツから第１コンテンツへの再生遷移が行われたときに、当該第１コンテンツの遷移履歴として遷移元の第２コンテンツを設定し、
前記第１コンテンツの再生画面において、前記操作部から操作信号が入力されたときに、前記遷移履歴に設定されている第２コンテンツの再生画面を前記表示部に表示させることを特徴とする請求項２又は３に記載の車載器。
【発明の詳細な説明】
【技術分野】
【０００１】
本発明は、センター装置から配信されたコンテンツを再生可能な車載器に関する。
【背景技術】
【０００２】
従来、路上に設置された路側無線装置と車両に搭載された車載器から構成され、路側無線装置と車載器の間で双方向の無線通信を行う路車間通信システムが知られている。この路車間通信システムでは、例えば、ＤＳＲＣ（Dedicated Short Range Communication）と呼ばれる狭域通信方式が採用されている。
車載器は、路側無線装置と狭域無線通信を行い、当該路側無線装置を介してセンター装置から情報提供を受けることが可能となっている。すなわち、車両が路側無線装置の通信範囲内にある間のみ、車載器と路側無線装置との双方向通信が可能となり、この間にセンター装置から路側無線装置を介して車載器にコンテンツが配信される。
【０００３】
上述した路車間通信システムの利用形態の一つとして、センター装置（サービス事業者）から車載器に対して、路側無線装置周辺の特定地域において有用なコンテンツ（例えば、周辺にある店舗や駐車場、医療機関等の地域情報、広告等）を配信させることが提案されている。また、センター装置から配信されたコンテンツを車載器で蓄積し、車載器が路側無線装置と通信できない環境（通信エリア外）においても、利用者の操作により呼び出して、又は自動的に、蓄積されているコンテンツを再生させる技術が提案されている（例えば、特許文献１）。
【０００４】
また、センター装置から配信される地域情報には多数のコンテンツが含まれているため、車載器では蓄積したコンテンツを再生する際に、階層構造のインターフェースを用いて所望のコンテンツにアクセスして再生することが検討されている。
【特許文献１】特開２００７−１０９０３２号公報
【発明の開示】
【発明が解決しようとする課題】
【０００５】
特許文献１では、車載器において、センター装置から配信されたコンテンツを蓄積することで、通信エリア外でもコンテンツを再生できるようにしているが、蓄積されたコンテンツにアクセスする方法については開示されていない。そのため、車載器に、広告情報等の余計なコンテンツが多数蓄積されていると、所望のコンテンツに簡単にアクセスすることはできないと考えられる。
また、階層構造を用いて所望のコンテンツにアクセスする方法では、再生中のコンテンツからその遷移先のコンテンツを指定することは可能であるが、遷移元に戻る情報がないため、当該コンテンツにアクセスするための操作が極めて煩雑となる。
【０００６】
本発明は、再生中のコンテンツの画面から遷移元となり得るコンテンツの画面への遷移を可能とする車載器を提供することを目的とする。
【課題を解決するための手段】
【０００７】
上記目的を達成するため、請求項１に記載の発明による車載器は、
路側無線装置を介してセンター装置と無線通信を行う通信部と、
前記センター装置から配信されたコンテンツを記憶する記憶部と、
前記記憶部に記憶されているコンテンツの再生画面を表示する表示部と、
前記再生画面を遷移するための操作部と、
前記表示部におけるコンテンツの再生画面の表示制御を行う制御部と、を備え、
前記制御部は、前記表示部に第１コンテンツの再生画面を表示させるとともに、前記操作部から操作信号が入力されたときに、前記第１コンテンツの遷移元となり得る第２コンテンツの再生画面を前記表示部に表示させ、
１つの第１コンテンツに対して遷移元となりうる複数の第２コンテンツがある場合、
前記操作部は、前記第１コンテンツの再生画面において、前記複数の第２コンテンツに対応して複数設けられ、
前記制御部は、前記複数の操作部のいずれかから操作信号が入力されたときに、対応する第２コンテンツの再生画面を前記表示部に表示させることを特徴とする。
【００１０】
請求項２に記載の発明による車載器は、
路側無線装置を介してセンター装置と無線通信を行う通信部と、
前記センター装置から配信されたコンテンツを記憶する記憶部と、
前記記憶部に記憶されているコンテンツの再生画面を表示する表示部と、
前記再生画面を遷移するための操作部と、
前記表示部におけるコンテンツの再生画面の表示制御を行う制御部と、を備え、
前記制御部は、前記表示部に第１コンテンツの再生画面を表示させるとともに、前記操作部から操作信号が入力されたときに、前記第１コンテンツの遷移元となり得る第２コンテンツの再生画面を前記表示部に表示させ、
１つの第１コンテンツに対して遷移元となりうる複数の第２コンテンツがある場合、
前記制御部は、前記第１コンテンツの再生画面において、前記操作部から操作信号が入力されたときに、前記複数の第２コンテンツのリストを前記表示部に表示させるとともに、当該リストにおいて選択された第２コンテンツの再生画面を前記表示部に表示させることを特徴とする。
【００１１】
請求項３に記載の発明は、請求項２に記載の車載器において、
前記制御部は、前記リストにおいて選択された第２コンテンツの選択フラグをオンに設定し、
前記第１コンテンツの再生画面において、前記操作部から操作信号が入力されたときに、前記選択フラグがオンに設定されている第２コンテンツの再生画面を前記表示部に表示させることを特徴とする。
【００１２】
請求項４に記載の発明は、請求項１から３のいずれか一項に記載の車載器において、
前記コンテンツには、当該コンテンツの遷移先となるコンテンツを示す次再生情報コードが含まれ、
前記制御部は、前記次再生情報コードに基づいて、前記遷移元となり得るコンテンツを設定することを特徴とする。
【００１３】
請求項５に記載の発明は、請求項２又は３に記載の車載器において、
前記コンテンツには、当該コンテンツの遷移先となるコンテンツを示す次再生情報コードが含まれ、
前記制御部は、前記次再生情報コードに基づいて、前記遷移元となり得るコンテンツを設定し、
前記次再生情報コードに基づいて第２コンテンツから第１コンテンツへの再生遷移（通常遷移）が行われたときに、当該第１コンテンツの遷移履歴として遷移元の第２コンテンツを設定し、
前記第１コンテンツの再生画面において、前記操作部から操作信号が入力されたときに、前記遷移履歴に設定されている第２コンテンツの再生画面を前記表示部に表示させることを特徴とする。
【発明の効果】
【００１４】
本発明に係る車載器によれば、再生中のコンテンツの画面から遷移元となり得るコンテンツの画面への遷移が可能となるので、利便性が格段に向上する。
【発明を実施するための最良の形態】
【００１５】
以下、本発明の実施の形態を図面に基づいて説明する。
図１は、本実施形態に係る路車間通信システム１００のシステム構成を示す説明図である。
図１に示すように、路車間通信システム１００は、センター装置１、路側無線装置２、車両Ｃに搭載された車載器５を含んで構成される。なお、図１では、１台のセンター装置１のみ示しているが、センター装置１はコンテンツを提供するサービス提供事業者毎に設けられる。
【００１６】
路側無線装置２は、路上や駐車場等に複数設置され、各路側無線装置２はネットワークＮを介してセンター装置１と接続されている。また、路側無線装置２は、車載器５と狭域通信（ＤＳＲＣ）により情報の送受信を行う。
すなわち、センター装置１は、路側無線装置２を介して車載器５にコンテンツを提供可能となっている。そして、車載器５は、提供されたコンテンツに再生処理を施し、このコンテンツに基づく音声をスピーカから出力したり、映像をディスプレイに表示したりする。
【００１７】
図２は、センター装置１及び路側無線装置２の内部構成を示すブロック図である。すなわち、センター装置１及び路側無線装置２は、図２に示す機能ブロックからなる処理装置（例えば、コンピュータ端末）を備えている。
【００１８】
図２に示すように、センター装置１は、制御部１１、ネットワーク通信部１２、コンテンツ記憶部１３、を備えて構成される。
制御部１１は、ＣＰＵ１１１、ＲＯＭ１１２、ＲＡＭ１１３を備える。ＣＰＵ１１１は、ＲＡＭ１１３を作業領域として、ＲＯＭ１１２に記憶された制御プラグラムを実行することにより、各種演算を行うほか、ネットワーク通信部１２を制御する。
【００１９】
ネットワーク通信部１２は、ＴＣＰ／ＩＰ等の通信プロトコルに従って処理を行い、ネットワークＮを介して路側無線装置２にコンテンツを送信する。
コンテンツ記憶部１３は、例えば、ハードディスクで構成され、車載器５に提供するためのコンテンツを記憶する。このコンテンツは、利用者に提供するテキスト情報、画像情報、音楽情報等を含んで構成され、その内容としては、例えば、店舗の広告や駐車場、医療施設の案内、クーポン等、様々なものが挙げられる。また、コンテンツは、後述する所定のフォーマット（いわゆる複合コンテンツフォーマット）に従って構成される。
【００２０】
路側無線装置２は、制御部２１、ＤＳＲＣ通信部２２、ネットワーク通信部２３、を備えて構成される。
制御部２１は、ＣＰＵ２１１、ＲＯＭ２１２、ＲＡＭ２１３を備える。ＣＰＵ２１１は、ＲＡＭ２１３を作業領域として、ＲＯＭ２１２に記憶された制御プラグラムを実行することにより、各種演算を行うほか、ＤＳＲＣ通信部２２、ネットワーク通信部２３を制御する。
【００２１】
ＤＳＲＣ通信部２２は、ＤＳＲＣにより車両Ｃに搭載されている車載器５にコンテンツを送信する。
ネットワーク通信部２３は、ＴＣＰ／ＩＰ等の通信プロトコルに従って処理を行い、ネットワークＮを介してセンター装置１からのコンテンツ情報等を受信する。
路側無線装置２において、センター装置１から送信されたコンテンツを受信すると、ＤＳＲＣ通信部２２はコンテンツを提供するためのＤＳＲＣ電波を常時発信する。路側無線装置２と通信可能な範囲（路側エリア）を車両が通過した際に、この車両Ｃに搭載された車載器５に対してコンテンツが配信されることとなる。
【００２２】
図３は、路側無線装置２の通信可能範囲である路側エリアＺの説明図である。
図３に示すように、路側無線装置２は、道路脇や道路上方に設置されたアンテナ２ａから到達距離が限定されたＤＳＲＣ電波を放射し、路側無線装置近傍に路側エリアＺを形成する。ここで、ＤＳＲＣとは、５．８ＧＨｚ帯の電波を使った狭域通信方式であり、その通信範囲は、例えば、数メートルから数十メートルとされる。
【００２３】
路車間通信システム１００では、複数の路側無線装置２が設置されるが、路側無線装置２からのＤＳＲＣ電波の出力は何れも同じ程度に設定されるので、複数の路側無線装置２がそれぞれ形成する路側エリアは設定場所に関係なく、ほぼ一定である。そして、路側無線装置２は、それぞれの路側エリア内にある車両Ｃに搭載された車載器５とだけ、双方向無線通信（路車間通信）が可能となる。
【００２４】
図４は、車両Ｃに搭載される車載器５の一構成例を示すブロック図である。
車載器５は、ＩＴＳ（Intelligent Transport Systems：高度道路交通システム）に適用可能なＩＴＳ車載器であり、路車間通信システム１００において、センター装置１から路側無線装置２を介して配信されたコンテンツ等を受信し、再生・出力するものである。
【００２５】
図４に示すように、車載器５は、制御部５１、ＤＳＲＣ部５２、ＶＩＣＳモジュール５３、カーナビ部５４、を備えて構成されている。
【００２６】
制御部５１は、ＣＰＵ５１１、ＲＯＭ５１２、ＲＡＭ５１３を備えて構成される。ＣＰＵ５１１は、ＲＡＭ５１３を作業領域として、ＲＯＭ５１２に記憶された制御プラグラムを実行することにより、各種演算を行うほか、各部の集中制御を行う。
【００２７】
ＤＳＲＣ部５２は、ＤＳＲＣ制御部５２１、ＤＳＲＣ通信部５２２、記憶部５２３、ＥＴＣ処理部５２４、ＩＣカードインターフェース５２５、を備えて構成され、路側無線装置２やＥＴＣ基地局とＤＳＲＣにより通信するための処理を行う。
【００２８】
ＤＳＲＣ制御部５２１は、ＣＰＵ、ＲＯＭ、ＲＡＭ（何れも図示略）を備えて構成され、ＲＯＭに記憶されている制御プログラムとの協働によりＤＳＲＣ部５２の各部の動作を制御する。
例えば、ＥＴＣによる決済を行う際には、ＤＳＲＣ通信部５２２の通信動作を制御してＥＴＣ基地局から決済情報を受信させる。また、ＥＴＣ処理部５２４により決済情報をクレジットカード等のＩＣに書き込む処理を行わせる。
また例えば、ＤＳＲＣ通信部５２２により、センター装置１から路側無線装置２を介して配信されたコンテンツを受信した場合には、これを制御部５１に転送する。
【００２９】
ＤＳＲＣ通信部５２２は、車両Ｃのダッシュボード上でフロントガラス近傍に設置されたアンテナを備え、このアンテナを介して路側無線装置２やＥＴＣ基地局と、ＤＳＲＣによる通信を行う。
記憶部５２３は、例えば、不揮発メモリで構成され、車載器５に付番される車載器ＩＤや、車載器５を搭載する車両Ｃの車両情報等を記憶する。
車載器ＩＤは、製造時に個々の車載器に付番される車載器情報である。車両情報は、車載器５を搭載する車両Ｃのナンバープレート情報や、車種情報（大型車両、中型車両、小型車両、身障者運転者両など）を含み、車両Ｃに車載器５を搭載する際に登録される（セットアップ）。
【００３０】
ＥＴＣ処理部５２４は、ＩＣカードインターフェース５２５に挿抜されるＩＣ付きクレジットカード又はデビットカード等に対して、決済情報等の読み書きを行う。
ＩＣカードインターフェース５２５は、クレジットカード等のスロットを備え、このスロットに挿入されたクレジットカード等のＩＣとＥＴＣ処理部５２４の間で情報のやりとりを仲介する。
【００３１】
ＶＩＣＳモジュール５３は、光通信用、ＦＭ通信用、２．４ＧＨｚ電波通信用のアンテナをそれぞれ備え、ＶＩＣＳ（Vehicle Information and Communication System：道路交通情報通信システム）センターと光通信、ＦＭ通信、電波通信を行う。ＶＩＣＳモジュール５３は、ＶＩＣＳセンターから渋滞情報や道路交通情報等を受信し、制御部５１に転送する。
【００３２】
カーナビ部５４は、カーナビ制御部５４１、現在地検出部５４２、地図記憶部５４３、操作部５４４、出力部５４５、記憶部５４６、ネットワーク通信部５４７、を備えて構成され、例えば、車両Ｃを案内経路へ誘導するための処理を行う。
【００３３】
カーナビ制御部５４１は、現在地検出部５４２から取得した現在地の情報及び地図記憶部５４３に記憶された地図情報等に基づいて、車両Ｃの現在地から操作部５４４を介して設定された目的地までの案内経路を算出する。そして、地図記憶部５４３に記憶されている地図情報を用いて、算出した案内経路へ誘導するための地図画面を作成し、出力部５４５のディスプレイに表示させる。
また、カーナビ制御部５４１は、センター装置１から配信されたコンテンツを再生する再生部として機能する。具体的には、カーナビ制御部５４１は、制御部５１と協働して、出力部５４５のディスプレイにおけるコンテンツの再生画面の表示制御や音声出力制御を行う。
【００３４】
現在地検出部５４２は、ＧＰＳ（Global Positioning System：全地球測位システム）、ジャイロセンサ等を備える。
ＧＰＳは、ＧＰＳ衛星から送信されるＧＰＳ信号を受信し、これに基づいて自車位置（緯度、経度）を算出する。
ジャイロセンサは、移動方向の変化量を示す車の加速度（単位時間当たりの水平方向への回転速度）を検出する（角速度センサ）とともに、地磁気の検出を行い（方位センサ）、自車の絶対方位を検出する。
現在地検出部５４２は、ＧＰＳとジャイロセンサから取得した情報に基づいて車両の現在地を示す現在地情報（緯度、経度等の情報）や走行速度の情報を作成する。
【００３５】
地図記憶部５４３は、ハードディスクやＤＶＤ等の記憶媒体で構成され、案内表示に必要な地図情報を記憶する。
操作部５４４は、車載器本体に設けられるハードキー、出力部５４５のディスプレイに一体的に設けられたタッチパネル（ソフトキー）、又はリモコンで構成される。操作部５４４は、利用者によってキー操作がなされたときに、この操作に対応する操作信号を制御部５１に出力する。
【００３６】
出力部５４５は、ディスプレイとスピーカで構成される。例えば、センター装置１から提供されたコンテンツが再生されると、ディスプレイでは当該コンテンツに基づく表示案内が出力され、スピーカでは音声案内が出力される。
また、出力部５４５は、記憶部５４６に記憶されているコンテンツを画像又は音声により利用者に通知する通知部として機能する。この出力部５４５によるコンテンツの通知動作は、制御部５１とカーナビ制御部５４１の協働により制御される。
また、出力部５４５のディスプレイは、タッチパネル機能を有し、画面上に配置されたボタンが操作されると、ボタンに対応する制御が行われることとなる。
【００３７】
記憶部５４６は、例えば、読み書き可能な半導体メモリで構成される。記憶部５４６は、例えば、ＶＩＣＳモジュール５３を介して受信されるガイド情報（道路情報、渋滞情報等）や車両の走行履歴、センター装置１から配信されたコンテンツのデータ等を記憶する。
ネットワーク通信部５４７は、例えば、ＩＰ接続可能な路側無線装置２又はＩＰ接続可能な携帯電話等を介してインターネットに接続する。例えば、コンテンツに含まれるＵＲＬ情報で指定されるサイトに接続する。接続されたサイトは、ウェブブラウザ等の所定のアプリケーションソフトによって出力部５４５のディスプレイに表示されることとなる。
【００３８】
上述したように、本実施形態の車載器５は、路側無線装置２を介してセンター装置１と無線通信を行うＤＳＲＣ部５２（通信部）と、センター装置１から配信されたコンテンツを記憶する記憶部５４６と、記憶部５４６に記憶されているコンテンツの再生画面を表示する出力部５４５のディスプレイ（表示部）と、再生画面を遷移するための操作部５４４と、出力部５４５のディスプレイにおけるコンテンツの再生画面の表示制御を行う制御部５１，カーナビ制御部５４１（制御部）と、を備える。
【００３９】
図５は、センター装置１から配信されるコンテンツのデータ構造の一例について示す説明図である。図５に示すように、センター装置１からは一時に複数の情報グループ（情報グループ群）が配信され、車載器５では複数の情報グループを受信して、即時再生又は記憶部５４６に蓄積することとなる。
ここで、図５における情報グループ１、２、・・ｎのそれぞれが１つのコンテンツであり、車載器５においては情報グループを単位として再生処理が行われる。なお、本明細書では、情報グループとコンテンツを同義として扱うものとする。
【００４０】
図５に示すように、１つの情報グループは、内容により分類された複数の要素で構成される。各構成要素はＩＤ番号（００、０１、・・等）と当該ＩＤ番号に対応して格納される実データからなる。図５において、情報グループ１には、ＩＤ＝００（ＩＤ番号が“００”であることを示す、以下同じ）、ＩＤ＝０１、ＩＤ＝０２、ＩＤ＝０３、ＩＤ＝０４、ＩＤ＝０５、ＩＤ＝１０、ＩＤ＝３０で規定される情報が含まれていることを示している。
【００４１】
図６は、情報グループを構成する各要素（ＩＤ番号及びこれに対応して格納されている実データ）の詳細内容の一例を示す説明図である。
ＩＤ＝００には、情報グループを構成している複数の要素のＩＤ番号が記述される。例えば、図５に示す情報グループ１の場合、ＩＤ＝００には、“００、０１、０２、０３、０４、０５、１０、３０、・・”が記述される。車載器５は、情報グループのＩＤ＝００に記述されている情報を参照することで、当該情報グループに含まれる情報の内容を確認できる。
【００４２】
ＩＤ＝０１には、当該情報グループを含む複数の情報グループを配信するサービス事業者（センター装置１）に関する情報が記述される。具体的には、ＤＳＲＣの運用を管理する機関で規定され、サービス事業者毎にユニークに割り付けられるサービス事業者コード、サービス事業者を利用者に視覚的に通知するためのサービス事業者表示テキスト、サービス事業者を利用者に音声で通知するためのサービス事業者表音文字列等が記述される。
【００４３】
ＩＤ＝０２には、当該情報グループ（コンテンツ）に関する情報が記述される。具体的には、サービス事業者が配信する情報グループの提供元を示す情報提供企業コード、情報提供企業を利用者に視覚的に通知するための情報提供企業表示テキスト、情報提供企業を利用者に音声で通知するための情報提供企業表音文字列、サービス事業者が情報グループ毎にユニークに割り付ける情報コード、情報グループの名称を利用者に視覚的に通知するための情報表示テキスト、情報グループを利用者に音声で通知するための情報表音文字列、当該情報グループをカテゴリー分けするために用いる嗜好データカテゴリ等が記述される。
【００４４】
ＩＤ＝０３には、当該情報グループ（コンテンツ）に関する情報が記述される。具体的には、受信した情報グループを受信完了後すぐに再生するか、通信エリア外でも利用可能に蓄積するかを表す即時再生／蓄積コード、情報グループを再生すべきエリア（情報提供地点）において当該情報グループを再生できない場合の挙動を規定する再生条件コードが記述される。
【００４５】
ＩＤ＝０４には、当該情報グループの有効期限に関する情報（有効期限情報）が記述される。具体的には、有効期限開始日時（開始年月日時分秒）、有効期限終了日時（終了年月日時分秒）が記述される。有効期限開始日時が経過後に当該情報グループの再生が可能となる。一方、有効期限終了日時が経過した情報グループについては、その再生は不可能とするようにしてもよい。また有効期限終了日時が経過した情報グループについても再生を可能とすることもできる。これらは車載器の仕様により適宜設定される。
【００４６】
ＩＤ＝０５には、当該情報グループの提供時間に関する情報が記述される。具体的には、後述するＩＤ＝１０で規定される対象地点（店舗等）の曜日毎の営業時間、当該情報グループを再生可能とする曜日毎の情報提供時間が記述される。
【００４７】
ＩＤ＝１０には、当該情報グループによるサービス対象となる対象地点に関する情報が記述される。具体的には、サービス対象地点の緯度経度を表す対象地点座標、対象地点名称を利用者に視覚的に通知するための対象地点表示用テキスト等が記述される。
【００４８】
ＩＤ＝３０には、当該情報グループの再生画面からの遷移先に関する情報（遷移情報）が記述される。具体的には、遷移先の情報グループの情報コード（ＩＤ＝０２に記述されている）からなる次再生情報コード１〜８が記述される。
【００４９】
ＩＤ＝４０には、複数の情報グループの中から所望の情報グループを検索するための詳細情報が記述される。具体的には、当該情報グループが提供するサービス内容を利用者が理解するためのキーワード等の詳細情報表示テキストが記述される。例えば、当該情報グループが、利用者にとって有用なサービスを提供するためのサービス情報（例えば、クーポン情報、バーゲン情報）である場合には、このＩＤ＝４０にクーポン情報やバーゲン情報である旨が記述される。
【００５０】
図６に示す情報グループの構成要素において、ＩＤ＝００、０１、０２、０３、０４、０５、１０は必須要素であり、情報グループには原則としてこれらの要素が含まれる。
【００５１】
本実施形態に係る車載器５において、センター装置１から配信された複数の情報グループを受信すると、カーナビ部５４の記憶部５４６には、情報グループ毎にそれぞれ図６に示す構成で情報が記憶され、蓄積されることとなる。なお、記憶部５４６に記憶される情報グループは、ＩＤ＝０３で蓄積コードが設定されている情報グループである。
そして、利用者によって情報グループの再生操作が行われると、記憶部５４６に記憶されている情報グループのうち選択された情報グループが再生される。このとき、情報グループのＩＤ＝３０に次再生情報コード１〜８が記述されていれば、当該情報グループの再生画面上に、再生遷移用の１〜８の番号の付いた遷移先ボタン（ソフトキー）が配置される。
利用者によって遷移先ボタンが操作されると、操作されたボタン番号に対応する次再生情報コード（遷移先の情報コード）で指定される情報グループを参照し、この情報グループの再生画面を表示する。以下の説明において、情報グループの再生画面を遷移させることを、単に再生遷移と称することもある。
【００５２】
本実施形態では、情報グループを再生するときに、下位階層の情報グループの再生画面から上位階層の情報グループの再生画面に遷移できるようにしている。なお、上位階層の情報グループから下位階層の情報グループへの再生遷移は、ＩＤ＝３０に含まれる遷移情報（次再生情報コード）を利用することにより、本発明の特徴を持たない車載器でも可能となっている。
【００５３】
ここで、下位階層の情報グループとは、ある情報グループの遷移先として指定されている情報グループ、すなわち、ある情報グループのＩＤ＝３０（遷移情報）において次再生情報コードで指定されている情報グループである。
また、上位階層の情報グループとは、ある情報グループの遷移元となり得る情報グループ、すなわち、その情報グループのＩＤ＝３０において、ある情報グループの情報コードを次再生情報コードとして登録している情報グループである。
つまり、本明細書では、階層構造を有する情報グループ群において、２つの情報グループが実際に上位・下位階層の関係となる場合はもちろん、階層構造において同階層となっている場合であっても遷移元・遷移先の関係にある場合も上位階層／下位階層の情報グループと称することとしている。
【００５４】
本実施形態の車載器５では、下位階層の情報グループの再生画面から上位階層の情報グループの再生画面に遷移するために、予め画面遷移テーブルを作成して記憶部５４６に記憶しておく。この画面遷移テーブルには、記憶部５４６に記憶されている情報グループごとに、遷移元情報が登録される。
ここで、遷移元情報とは、ある情報グループの遷移元となり得る上位階層の情報グループを示す情報であり、具体的には遷移元となりうる情報グループの情報コードが遷移元情報として登録される。
情報グループの再生時には、上位階層の情報グループに遷移するための操作ボタン（以下、遷移元ボタンと称する）を再生画面上に表示する。そして、利用者によって遷移元ボタンが操作されると、画面遷移テーブルの遷移元情報に登録されている情報グループを再生する。
【００５５】
すなわち、車載器５の制御部５１，カーナビ制御部５４１（制御部）は、出力部５４５のディスプレイ（表示部）に下位階層の情報グループ（第１コンテンツ）の再生画面を表示させるとともに、操作部５４４から再生遷移を指示する操作信号が入力されたときに、下位階層の情報グループの遷移元となりうる上位階層の情報グループ（第２コンテンツ）の再生画面を出力部５４５のディスプレイに表示させる。
【００５６】
このように、本実施形態に係る車載器５によれば、センター装置１から配信された情報グループに含まれる次再生情報コードを利用して、情報グループごとに遷移元情報を登録しておくことにより、下位階層の情報グループの再生画面から遷移元となり得る上位階層の情報グループの再生画面に遷移できるので、上位階層の情報グループに再生遷移するのに面倒な操作は必要なく、利便性が向上する。
【００５７】
（第１実施形態）
図７は、第１実施形態に係る画面遷移テーブルの構成例を示す説明図である。
図７に示すように、画面遷移テーブルに登録される情報グループには登録番号１，２，・・が付与され、情報グループごとに情報提供企業コード、情報コード、情報提供企業表示テキスト、情報表示テキスト、遷移元情報が登録される。
第１実施形態では、画面遷移テーブルにおいて、遷移元情報として１つの情報グループ（の情報コード）だけを登録する。つまり、情報グループの再生画面において、遷移元ボタンが操作されたときに再生遷移する情報グループは１つに決まっている。
【００５８】
図７に示す画面遷移テーブルでは、８つの情報グループが登録されている場合を示している。以下の説明において、登録番号ｎの情報グループを情報グループｎと称する。
なお、画面遷移テーブルに登録しておく情報は図７に示すものに限定されず、少なくとも情報グループを識別するための情報（例えば、情報コード）と、当該情報グループの遷移元となる情報グループを示す遷移元情報が含まれるようにすればよい。
図７では、それぞれの情報グループの内容をわかりやすくするために、情報提供企業表示テキストや情報表示テキストを登録した画面遷移テーブルを示している。
【００５９】
図７において、例えば情報グループ１については、情報提供企業コードが“０００００１”、情報コードが“０００００１”、情報提供企業表示テキストが“△△△センター”、情報表示テキストが“△△△センター”、遷移元情報が“なし”であることが登録されている。情報グループ１は最上位階層の情報グループ（いわゆるトップページ）であるため、遷移元情報は“なし”となっている。
また、例えば情報グループ３については、情報提供企業コードが“０００００２”、情報コードが“０００００３”、情報提供企業表示テキストが“○□△”、情報表示テキストが“○□△ＳＣ○○店”、遷移元情報が“０００００１”（情報グループ１）であることが登録されている。
また、例えば情報グループ４については、情報提供企業コードが“０００００２”、情報コードが“０００００４”、情報提供企業表示テキストが“○□△”、情報表示テキストが“○□△ＳＣ○○店  ランチクーポン”、遷移元情報が“０００００２”（情報グループ２）であることが登録されている。
【００６０】
ここで、情報提供企業コード、情報コード、情報提供企業表示テキスト、情報表示テキストは、後述する図８のステップＳ１０７において登録される。
一方、遷移元情報は図８のステップＳ１０９（詳細には図９，１０）で登録される。ある情報グループについて、ＩＤ＝３０（遷移情報）に次再生情報コードが記述されていれば、この次再生情報コード（情報グループの情報コード）で指定される情報グループについては遷移元情報が登録されることとなる。
【００６１】
つまり、図７では、情報グループ２、３、５，７，８は、情報グループ１を遷移元とする（すなわち、情報グループ１の次再生情報コードに情報グループ２、３、５，７，８の情報コードが登録されている）ことが示されている。なお、後述するように、遷移元となり得る情報グループが複数ある場合には、予め設定されたルールに従って遷移元情報は登録される。
【００６２】
図８は、第１実施形態に係る受信処理（受信処理１）の一例について示すフローチャートである。この受信処理は、例えば、車両（車載器５）が路側無線装置２の路側エリアＺに進入してＤＳＲＣ通信が開始されたときに、ＣＰＵ５１１がＲＯＭ５１２内の受信処理プログラムを実行することにより実現される。
【００６３】
ステップＳ１０１では、車載器５が路側無線装置２の路側エリアＺ内にある（エリアイン中）か、すなわち、車載器５と路側無線装置２とが通信状態にあるか否かを判定する。そして、エリアイン中と判定した場合はステップＳ１０２に移行し、エリアイン中でないと判定した場合はステップＳ１０９に移行する。
ステップＳ１０２では、路側無線装置２から送信される複数の情報グループのうち、１つの情報グループの受信が完了したか否かを判定し、情報グループの受信が完了するとステップＳ１０３に移行する。つまり、１つの情報グループが完了するごとに、当該情報グループの再生／保存処理、画面遷移テーブルへの登録処理が行われる。
【００６４】
ステップＳ１０３では、受信した情報グループがＩＤ＝０１，０２，０３で規定される情報（事業者に関する情報、コンテンツに関する情報）を含むか否かを判定する。例えば、情報グループのＩＤ＝００には、情報グループの構成要素のＩＤ一覧が記述されているので、ＩＤ＝００にＩＤ＝０１，０２，０３が記述されているかに基づいて判定する。
そして、ＩＤ＝０１，０２，０３で規定される情報を含むと判定した場合は、正常に受信完了したものと判断し、ステップＳ１０４に移行する。一方、ＩＤ＝０１，０２，０３で規定される情報を含んでいないと判定した場合は、当該情報グループについては正常に受信できていないものと判断し、ステップＳ１０１に移行する。つまり、この情報グループについては車載器５において再生も保存もされないし、画面遷移テーブルにも登録されない。
【００６５】
ステップＳ１０４では、受信した情報グループ内のＩＤ＝０３に記述されている即時再生／蓄積コードを参照する。
ステップＳ１０５では、ＩＤ＝０３に記述されている即時再生／蓄積コードが蓄積を示すコードであるか否かを判定する。そして、蓄積を示すコードであると判定した場合はステップＳ１０６に移行し、蓄積を示すコードでないと判定した場合（即時再生を示すコードの場合）は、ステップＳ１０１に移行する。つまり、即時再生する情報グループについては、受信完了後、カーナビ部５４においてそのまま再生され、記憶部５４６には保存されない。また、画面遷移テーブル（図７参照）にも登録されない。
【００６６】
ステップＳ１０６では、受信した情報グループを記憶部５４６に保存する。
ステップＳ１０７では、画面遷移テーブルに遷移元情報以外の情報を登録する。つまり、図７に示す画面遷移テーブルの場合、受信した情報グループ内のＩＤ＝０２に記述されている情報提供企業コード、情報提供企業表示テキスト、情報コード、情報表示テキストを抽出して、画面遷移テーブルに登録する。
ステップＳ１０８では、路側無線装置２から送信される全ての情報グループについて受信が完了したか否かを判定する。そして、全ての情報グループについて受信が完了したと判定した場合はステップＳ１０９に移行し、受信が完了していないと判定した場合はステップＳ１０１に移行して次の情報グループを受信する。
【００６７】
ステップＳ１０９では、受信した全ての情報グループについて遷移元情報確認処理を行う。つまり、全ての情報グループを受信したとき（ステップＳ１０８で“ＹＥＳ”）、又は、車載器５が路側無線装置２の路側エリアＺ外となったときに、遷移元情報確認処理が行われる。なお、車載器５が路側無線装置２の路側エリアＺ外となった場合は、それまでに受信した情報グループについて遷移元情報確認処理を行うこととなる。
この遷移元情報確認処理により、画面遷移テーブルに登録された全ての情報グループについて、遷移元情報が登録／未登録されると、受信処理を終了する。
【００６８】
図９は、遷移元情報確認処理（図８のステップＳ１０９）の一例について示すフローチャートである。図９では、図８のステップＳ１０７で画面遷移テーブルに登録した情報グループを“Ｉ”、情報グループＩの遷移先となる情報グループを“Ｙ”としている。つまり、情報グループＩは情報グループＹの上位階層の情報グループであり、情報グループＹは情報グループＩの下位階層の情報グループである。
【００６９】
ステップＳ１１１では、画面遷移テーブルにおいて先頭に登録されている情報グループＩを参照する。ここで、情報グループの参照とは、記憶部５４６に記憶されている情報グループの実データを参照することである。
ステップＳ１１２では、参照中の情報グループＩはＩＤ＝３０で規定される情報（遷移情報）を含むか、つまり、情報グループＩが、当該情報グループＩから遷移可能な下位階層の情報グループを有するか否かを判定する。例えば、情報グループＩのＩＤ＝００にＩＤ＝３０が記述されているかに基づいて判定する。そして、遷移情報を含むと判定した場合はステップＳ１１３に移行する。
一方、情報グループＩが遷移情報を含まないと判定した場合（すなわち情報グループＩが最下位階層の情報グループの場合）はステップＳ１１９に移行する。遷移情報を有していない情報グループは他の情報グループの遷移元となり得ないためである。
【００７０】
ステップＳ１１３では、情報グループＩ内のＩＤ＝３０に記述されている次再生情報コードを参照する。
ステップＳ１１４では、ＩＤ＝３０に具体的な次再生情報コードが記述されているか否かを判定する。情報グループＩのＩＤ＝００内にＩＤ＝３０があった（ステップＳ１１２で“ＹＥＳ”）としても、実際にはＩＤ＝３０に次再生情報コード（実データ）が記述されていない可能性があるので、ＩＤ＝３０の次再生情報コードが実際に記述されているか否かを判定する。そして、情報グループＩのＩＤ＝３０に次再生情報コードが記述されていると判定した場合はステップＳ１１５に移行し、次再生情報コードが記述されていないと判定した場合はステップＳ１１９に移行する。
ステップＳ１１５では、情報グループＩのＩＤ＝３０に記述されている先頭の次再生情報コードで指定される情報グループＹを、画面遷移テーブルから検索する。
【００７１】
ステップＳ１１６では、情報グループＩの情報コードを、その遷移先となる情報グループＹの遷移元情報として登録するための遷移元情報登録処理を行う。
この遷移元情報確認処理は、図１０に示すフローチャートに従って行われる。
図１０は、遷移元情報登録処理の一例について示すフローチャートである。
ステップＳ１３１では、画面遷移テーブルにおいて、情報グループＹの遷移元情報が既に登録されているか否かを判定する。そして、情報グループＹの遷移元情報が登録されていると判定した場合はステップＳ１３２に移行する。
一方、情報グループＹの遷移元情報が登録されていないと判定した場合はステップＳ１３３に移行し、情報グループＹの遷移元情報として情報グループＩを登録する。
ステップＳ１３２では、情報グループＩを情報グループＹの遷移元情報として登録するか否かを判定する。例えば、図１１に示す優先ルールに従って、先に登録された情報グループと情報グループＩの何れを遷移元情報として登録するか判断する。
【００７２】
図１１は、第１実施形態において遷移元情報を登録する際の優先ルールの一例について示す説明図である。
図１１に示すように、優先ルールとしては、受信時刻が早い／遅い方の情報グループを優先して遷移元とする（ルール１，２）、情報コードが大きい／小さい方の情報グループを優先して遷移元とする（ルール３，４）、情報提供企業コードが大きい／小さい方の情報グループを優先して遷移元とする（ルール５，６）等がある。
なお、情報提供企業コードが大きい／小さい方の情報グループを優先して遷移元とするルール（ルール５，６）の場合、情報提供企業コードが同じとなる可能性もある。このような場合は、さらに受信時刻を比較して受信時刻が早い／遅い方の情報グループを優先して遷移元とする（ルール７〜１０）、又は、情報コードを比較して情報コードが大きい／小さい方の情報グループを優先して遷移元とする（ルール１１〜１４）。
第１実施形態では、情報グループの遷移元情報を１つだけ登録するようにしているので、図１１に示すような優先ルールを予め設定しておく必要がある。
【００７３】
図１０のステップＳ１３２において、情報グループＩを情報グループＹの遷移元情報として登録すると判定した場合はステップＳ１３３に移行し、遷移元情報として登録しないと判定した場合は遷移元情報登録処理を終了する。
ステップＳ１３３では、情報グループＹの遷移元情報として情報グループＩを登録し、遷移元情報登録処理を終了する。
この遷移元情報登録処理により、下位階層の情報グループＹの遷移元情報として、上位階層の情報グループＩが登録／非登録される。遷移元情報登録情報を終了すると、図９のフローチャートに復帰する。
【００７４】
図９のステップＳ１１７では、情報グループＩ内のＩＤ＝３０に他の次再生情報コードが記述されているか否かを判定する。そして、情報グループＩのＩＤ＝３０に他の次再生情報コードが記述されていると判定した場合はステップＳ１１８に移行し、他の次再生情報コードが記述されていないと判定した場合はステップＳ１１９に移行する。
ステップＳ１１８では、情報グループＩのＩＤ＝３０に記述されている次の次再生情報コードで指定される情報グループＹを画面遷移テーブルから検索し、ステップＳ１１６以降の処理を行う。
ステップＳ１１６〜Ｓ１１８を繰り返すことにより、情報グループＩが遷移元となり得る全ての情報グループＹについて、情報グループＩが遷移元情報として登録／非登録されることとなる。
【００７５】
ステップＳ１１９では、画面遷移テーブルに他の情報グループ、すなわち、ステップＳ１１２以降の処理を受けていない情報グループがあるか否かを判定する。そして、他の情報グループがあると判定した場合はステップＳ１２０に移行する。
ステップＳ１２０では、画面遷移テーブルにおいて次に登録されている情報グループＩを参照し、ステップＳ１１２以降の処理を行う。
一方、ステップＳ１１９において他の情報グループがないと判定した場合は遷移元情報確認処理を終了する。
【００７６】
図８〜１０に示す処理により、下位階層の情報グループの再生画面から上位階層の情報グループの再生画面に遷移するための画面遷移テーブルが作成される。
このように、第１実施形態では、１つの情報グループＹに対して遷移元となりうる複数の情報グループＩがある場合、制御部５１は、複数の情報グループＩの中から所定の条件（例えば、図１１の優先ルール）に従って優先される１の情報グループＩを選択して、情報グループＹの遷移元として設定する。
【００７７】
図１２は、表示制御処理の一例について示すフローチャートである。この情報グループ表示制御処理は、例えば、利用者が操作部５４４により情報グループの再生を指示したときに、ＣＰＵ５１１がＲＯＭ５１２内の表示制御処理プログラムを実行することにより実現される。
図１２のステップＳ２０１では、利用者の操作により再生指示された情報グループを参照する。
ステップＳ２０２では、参照した情報グループの再生処理を行う。この再生処理は、後述する図１３に示すフローチャートに従って行われる。
ステップＳ２０３では、ステップＳ２０２の再生処理により出力部５４５のディスプレイに表示された再生画面において、再生画面を遷移するための画面遷移処理を行う。この画面遷移処理は、後述する図１４に示すフローチャートに従って行われる。
ステップＳ２０４では、利用者により情報グループの再生終了を指示する操作がなされたか否かを判定する。そして、再生終了を指示されたと判定した場合はステップＳ２０５に移行し、再生終了を指示されていないと判定した場合はステップＳ２０３に移行する。
ステップＳ２０５では、再生中の表示を消去し、表示制御処理を終了する。
【００７８】
図１３は、第１実施形態に係る再生処理（再生処理１）の一例について示すフローチャートである。
ステップＳ２１１では、図１２のステップＳ２０１で参照した情報グループを再生する。具体的には、参照した情報グループに含まれる情報（例えば、ＩＤ＝０１の情報提供企業表示テキストや情報表示テキスト、ＩＤ＝３０の次再生情報コード、ＩＤ＝１０の対象地点表示テキスト、画像データ等）を解析して画面データを生成し、出力部５４５のディスプレイに当該情報グループの詳細を示す再生画面を表示する。
このとき、例えば、参照した情報グループのＩＤ＝３０に次再生情報コード１〜８が記述されていれば、当該情報グループの再生画面上には、画面遷移用の１〜８の番号の付いた遷移先ボタン（ソフトキー）が配置される。
ステップＳ２１２では、上位階層の情報グループ（同階層であって遷移元となりうる情報グループを含む）に遷移するための遷移元ボタンを配置する。なお、遷移元ボタンの表示は、必ずしも図１３に示すフローチャート通りとは限らず、例えば、遷移先ボタンの表示と同じタイミング（ステップＳ２１１）でも構わない。遷移元ボタンは本発明の特徴点となるため、図１３に示すフローチャートでは、敢えて区別して記載している。
【００７９】
図１７は、第１実施形態に係る情報グループの再生画面の一例を示す説明図である。図１７（ａ）は図７に示す画面遷移テーブルにおける情報グループ３の再生画面で、図１７（ｂ）は情報グループ４の再生画面を示している。
【００８０】
利用者の操作によって情報グループ３の再生が指示されると、情報コード“０００００３”で指定される情報グループ３が再生されるとともに遷移元ボタン（図では「１つ上へ」と表示）が配置され、図１７（ａ）に示すような再生画面が表示される。
情報グループ３のＩＤ＝３０には、次再生情報コードとして２つの情報グループ（情報表示テキストが「お得なクーポン」「デザートメニュー」である情報グループ）の情報コードが記述されているため、この情報グループを再生させるための遷移先ボタンＢ１，Ｂ２が配置されている。また、画面右下領域には遷移元ボタンＢ３が配置されている。
【００８１】
また、利用者の操作によって情報グループ４の再生が指示されると、情報コード“０００００４”で指定される情報グループ４が再生されるとともに遷移元ボタンが配置され、図１７（ｂ）に示すような再生画面が表示される。
情報グループ４は最下位階層であり、ＩＤ＝３０で規定される遷移情報を有していないため、再生遷移のためのボタンとして画面右下領域に遷移元ボタンＢ３だけが配置されている。
また、情報グループ４のＩＤ＝１０には、対象地点に関する情報としてＵＲＬ情報が記述されているため、ネットワークに接続するためのボタンＢ４が配置されている。ネットワーク接続ボタンＢ５が操作されると、カーナビ部５４のネットワーク接続部５４７によりインターネットへの接続処理が実行される。そして、接続が確立されるとＵＲＬ情報で指定されたサイトが、ウェブブラウザ等のアプリケーションソフトにより表示される。
【００８２】
図１３に示す再生処理１が実行されると、出力部５４５のディスプレイには、例えば、図１７に示す再生画面が表示される。そして、図１７に示す再生画面において、利用者は、遷移先ボタンＢ１，Ｂ２又は遷移元ボタンＢ３を操作することにより、情報グループの再生遷移を行うこととなる。
【００８３】
図１４は、画面遷移処理の一例について示すフローチャートである。図１２に示すように、この画面遷移処理は、情報グループの再生画面が表示された後に実行される。
ステップＳ２２１では、利用者により情報グループの再生遷移を指示する操作（例えば、図１７の遷移先ボタンＢ１，Ｂ２又は遷移元ボタンＢ３の操作）がなされたか否かを判定する。そして、再生遷移を指示されたと判定した場合はステップＳ２２２に移行し、再生遷移を指示されていないと判定した場合は画面遷移処理を終了する。
ステップＳ２２２では、利用者による操作は次画面の再生遷移を指示する操作、すなわち、遷移先ボタン（図１７のＢ１，Ｂ２）の操作であるか否か判定する。そして、遷移先ボタンの操作であると判定した場合はステップＳ２２３に移行して通常遷移処理を行い、遷移先ボタンの操作でない（遷移元ボタン（図１７のＢ３）の操作である）と判定した場合はステップＳ２２４に移行して特殊遷移処理を行う。
【００８４】
ステップＳ２２３の通常遷移処理は、図１５のフローチャートに従って行われる。
図１５において、ステップＳ２３１では、操作されたボタン番号に対応する情報グループを参照する。
ステップＳ２３２では、図１３に示す再生処理１を行う。すなわち、ステップＳ２３１で参照した情報グループを再生するとともに、遷移元ボタンを表示する。
例えば、図１７（ａ）に示す再生画面おいて、利用者によって遷移先ボタンＢ１の操作がなされると「お得なクーポン」の情報グループが再生され、遷移先ボタンＢ２の操作がなされると「デザートメニュー」の情報グループが再生される。
【００８５】
図１４において、ステップＳ２２４の特殊遷移処理は、図１６のフローチャートに従って行われる。
図１６において、ステップＳ２４１では、再生中の情報グループについて、画面遷移テーブル（図７参照）の遷移元情報が登録されているか否かを判定する。最上位階層の情報グループでなければ、遷移元情報は登録されている。そして、遷移元情報が登録されていると判定した場合はステップＳ２４２に移行し、遷移元情報が登録されていないと判定した場合は特殊遷移処理を終了する。
つまり、最上位階層の情報グループの再生画面において遷移元ボタンの操作がなされても、実際には再生遷移は行われない。したがって、最上位階層の情報グループの再生画面においては、遷移元ボタンを非表示としたり、非アクティブであることが認識できる態様で表示（例えば、半透明で表示）したりしてもよい。
【００８６】
ステップＳ２４２では、遷移元情報として登録されている情報コードで指定される情報グループを参照する。
ステップＳ２４３では、図１３に示す再生処理１を行う。すなわち、ステップＳ２４２で参照した情報グループを再生するとともに、遷移元ボタンを１つ表示する。
【００８７】
例えば、図１７（ａ）に示す再生画面において、遷移元ボタンＢ３の操作がなされると、遷移元情報として登録されている情報グループ１（△△△センターに関する情報）が再生される。また例えば、図１７（ｂ）に示す再生画面において、遷移元ボタンＢ３の操作がなされると、遷移元情報として登録されている情報グループ２（△△△センターのお食事情報）が再生される。
【００８８】
このように、第１実施形態においては、図１２〜図１６のフローチャートに従って、情報グループの表示制御処理が行われる。
第１実施形態に係る車載器５によれば、画面遷移テーブルにおいて遷移元情報として登録される情報グループは１つであるので、１つの遷移元ボタンＢ３の操作という極めて簡単な操作により、上位階層の情報グループに再生遷移することができる。遷移元情報として登録される情報グループは、優先ルールに従って決定されるので、遷移元ボタンＢ３の操作がなされたときに、利用者が所望する情報グループとかけ離れた情報グループが再生される虞は少ない。
【００８９】
（第２実施形態）
第２実施形態では、画面遷移テーブルにおいて、遷移元情報として複数の情報グループを登録できるようにしている点が、第１実施形態と異なる。なお、以下において前述の実施形態と同様の説明については省略することがある。
図１８は、第２実施形態に係る画面遷移テーブルの構成例を示す説明図である。
図１８に示すように、画面遷移テーブルに登録される情報グループには登録番号１，２，・・が付与され、情報グループごとに情報提供企業コード、情報コード、情報提供企業表示テキスト、情報表示テキスト、遷移元情報１、遷移元情報１の情報表示テキスト、遷移元情報２、遷移元情報２の情報表示テキスト、・・が登録される。
【００９０】
第２実施形態では、情報グループの再生画面において遷移元ボタンを複数配置するので、それぞれの遷移元ボタンの操作がなされることにより再生遷移する情報グループを利用者が認識できるようにすることが望ましい。そのため、図１８に示す画面遷移テーブルには、遷移元情報１，２の情報表示用テキストが登録され、再生画面上に表示する遷移元ボタンにこの情報表示テキストを付加できるようにしている。
【００９１】
図１８において、例えば情報グループ１については、遷移元情報１，２が“なし”であることが登録されている。
また、例えば情報グループ７については、遷移元情報１が“０００００１”（情報グループ１）、遷移元情報１の情報表示テキストが“△△△センター”、遷移元情報２が“０００００２”（情報グループ２）、遷移元情報２の情報表示テキストが“お食事情報”であることが登録されている。
【００９２】
ここで、遷移元情報以外の情報は、第１実施形態で説明した図８のステップＳ１０７において登録される。一方、遷移元情報は図８のステップＳ１０９（詳細には図９，１０）で登録される。
【００９３】
第２実施形態に係る受信処理は、第１実施形態で説明した処理（図８〜１０）とほぼ同様に行われる。第１実施形態では、図１０に示す遷移元情報登録処理において、情報グループの遷移元となりうる情報グループが複数ある場合、優先ルールに従って１つの情報グループを遷移元情報として登録する。これに対して、第２実施形態では、情報グループの遷移元となりうる全ての情報グループを遷移元情報として登録する。
すなわち、図１０のステップＳ１３１において、画面遷移テーブル内の情報グループＹの遷移元情報が既に登録されていると判定した場合は、ステップＳ１３３に移行して、その情報グループＩを遷移元情報として追加登録することとなる。このとき、遷移元情報として情報コードを登録するだけでなく、情報コードに対応する情報表示テキストも登録することとなる。
【００９４】
第２実施形態に係る表示制御処理は、第１実施形態において説明した処理（図１２〜１６）のうち、再生処理と特殊遷移処理が異なる。
図１９は、第２実施形態に係る再生処理（再生処理２）の一例について示すフローチャートである。
ステップＳ２５１では、図１２のステップＳ２０１で参照した情報グループを再生する。具体的には、参照した情報グループに含まれる情報（例えば、ＩＤ＝０１の情報提供企業表示テキストや情報表示テキスト、ＩＤ＝３０の次再生情報コード、ＩＤ＝１０の対象地点表示テキスト、画像データ等）を解析して画面データを生成し、出力部５４５のディスプレイに当該情報グループの詳細を示す再生画面を表示する。
このとき、例えば、参照した情報グループのＩＤ＝３０に次再生情報コード１〜８が記述されていれば、当該情報グループの再生画面上には、画面遷移用の１〜８の番号の付いた遷移先ボタン（ソフトキー）が配置される。
【００９５】
ステップＳ２５２では、参照した情報グループに、遷移元情報が登録されているか否かを判定する。そして、遷移元情報が登録されていると判定した場合はステップＳ２５３に移行し、遷移元情報が登録されていないと判定した場合（参照した情報グループが最上位階層の情報グループ）は、再生処理２を終了する。
ステップＳ２５３では、上位階層の情報グループ（同階層であって遷移元となりうる情報グループを含む）に遷移するための遷移元ボタンを表示する。このとき、遷移元ボタンには、画面遷移テーブルに登録されている遷移元情報の情報表示テキストが表示される。
また、参照した情報グループについて、遷移元情報が複数登録されている場合は、遷移元情報の数だけ遷移元ボタンが表示されることとなる。
なお、遷移元ボタンとして、数字（図２１の場合は１〜３）の付いた遷移元ボタン（数字ボタン）を配置し、それぞれの数字ボタンに対応して遷移元情報の情報表示テキストを重畳表示するようにしてもよい。
【００９６】
図２１は、第２実施形態に係る情報グループの再生画面の一例を示す説明図である。図２１は図１８に示す画面遷移テーブルにおける情報グループ８の再生画面を示している。なお、図１８では、情報グループ８の３つめの遷移元情報３が省略されている。
利用者の操作によって情報グループ８の再生が指示されると、情報コード“０００００８”で指定される情報グループ８が再生されるとともに３つの遷移元ボタンが配置され、図２１に示すような再生画面が表示される。
情報グループ８は最下位階層であり、ＩＤ＝３０で規定される遷移情報を有していないため、遷移先ボタンは配置されていない。したがって、再生遷移のためのボタンとして画面下領域に３つの遷移元ボタンＢ５〜Ｂ７が配置されている。
【００９７】
なお、図２１では、遷移元ボタンＢ５〜Ｂ７を配置するための領域として画面下領域を使用しているが、遷移元ボタンの配置態様はこれに限定されない。例えば、遷移元ボタンを配置するための専用領域を確保する、すなわち、画面全体を情報グループの内容を表示する領域と遷移元ボタンを配置するための領域に分割して使用するようにしてもよいし、情報グループの内容を画面全体に表示し、遷移元ボタンはこれに重畳させる形態で表示するようにしてもよい。
【００９８】
図１９に示す再生処理２が実行されると、出力部５４５のディスプレイには、例えば、図２１に示す再生画面が表示される。そして、図２１に示す再生画面において、利用者は、遷移先ボタンＢ５〜Ｂ７の何れかを操作することにより、情報グループの再生遷移を行うこととなる。
このように、第２実施形態では、１つの情報グループに対して遷移元となりうる複数の情報グループがある場合、下位階層の情報グループ（第１コンテンツ）の再生画面において、遷移元となりうる複数の情報グループ（上位階層の情報グループ、第２コンテンツ）に対応する遷移元ボタン（操作部）が複数設けられる（図２１の遷移元ボタンＢ５〜Ｂ７）。そして、制御部５１は、複数の遷移元ボタンＢ５〜Ｂ７（操作部）の何れかから操作信号が入力されたときに、対応する上位階層の情報グループの再生画面を出力部５４５のディスプレイ（表示部）に表示させる。
【００９９】
第２実施形態では、図１４におけるステップＳ２２４の特殊遷移処理は、図２０のフローチャートに従って行われる。
図２０において、ステップＳ２６１では、操作された遷移元ボタンに対応する情報グループを再生するために、操作された遷移元ボタンに対応する遷移元情報として登録されている情報グループを参照する。
ステップＳ２６２では、図１９に示す再生処理２を行う。すなわち、ステップＳ２６１で参照した情報グループを再生するとともに、遷移元ボタンを表示する。参照した情報グループについて、複数の遷移元情報が登録されていれば、複数の遷移元ボタンが表示される。
【０１００】
例えば、図２１に示す再生画面において、遷移元ボタンＢ５が操作されると、遷移元ボタンＢ５に対応する遷移元情報１として登録されている情報グループ１（△△△センターに関する情報）が再生される。また例えば、図２１に示す再生画面において、遷移元ボタンＢ６が操作されると、遷移元ボタンＢ６に対応する遷移元情報２として登録されている情報グループ２（△△△センターのお食事情報）が再生される。
【０１０１】
なお、第２実施形態では、図１４におけるステップＳ２２３の通常遷移処理は、図１５のフローチャートに従って行われるが、図１５のステップＳ２４３では図１９に示す再生処理２が行われるものとする。
【０１０２】
このように、第２実施形態においては、図１２、１４，１６，１９，２０のフローチャートに従って、情報グループの表示制御処理が行われる。
第２実施形態に係る車載器５によれば、下位階層の情報グループの再生画面には、情報表示テキストが付加された複数の遷移元ボタンが表示されるので、利用者は遷移元ボタンを操作することにより再生遷移する情報グループの内容を容易に認識することができる。また、再生遷移する上位階層の情報グループを、利用者が複数の選択肢の中から決定するので、利用者は所望の上位階層の情報グループに再生遷移させることができる。
【０１０３】
（第３実施形態）
第３実施形態では、画面遷移テーブルにおいて、１つの情報グループに対して遷移元情報として複数の情報グループを登録する点は第２実施形態と同様であるが、情報グループの表示制御処理が第２実施形態と異なる。したがって、第３実施形態に係る画面遷移テーブルは、図１８に示す構成となる。
具体的には、第３実施形態に係る表示制御処理は、第２実施形態において説明した処理のうち、再生処理と特殊遷移処理が異なる。なお、再生処理については第１実施形態と同様に行われる。
【０１０４】
図２２は、第３実施形態に係る情報グループの再生画面の一例を示す説明図である。図２２は図１８に示す画面遷移テーブルにおける情報グループ８の再生画面を示している。なお、図１８では、情報グループ８の３つめの遷移元情報３が省略されている。
利用者の操作によって情報グループ８の再生が指示されると、情報コード“０００００８”で指定される情報グループ８が再生される。
情報グループ８は最下位階層であり、ＩＤ＝３０で規定される遷移情報を有していないため、遷移先ボタンは配置されていない。したがって、再生遷移のためのボタンとして画面右下領域に遷移元ボタンＢ３が配置されている。
【０１０５】
第３実施形態において、図１３に示す再生処理１が実行されると、出力部５４５のディスプレイには、例えば、図２２に示す再生画面が表示される。そして、図２２に示す再生画面において、利用者は、遷移元ボタンＢ３を操作することにより、情報グループの再生遷移を行うこととなる。
【０１０６】
第３実施形態では、図１４におけるステップＳ２２４の特殊遷移処理は、図２３のフローチャートに従って行われる。
ステップＳ２７１では、再生中の情報グループについて、画面遷移テーブル（図１８参照）の遷移元情報が登録されているか否かを判定する。そして、遷移元情報が登録されていると判定した場合はステップＳ２７２に移行し、遷移元情報が登録されていないと判定した場合は特殊遷移処理を終了する。
【０１０７】
ステップＳ２７２では、再生中の情報グループに遷移元情報として複数の情報グループが登録されているかを判定する。そして、遷移元情報として複数の情報グループが登録されていない（遷移元情報として１つの情報グループが登録されている）と判定した場合はステップＳ２７３に移行し、複数の情報グループが登録されていると判定した場合はステップＳ２７４に移行する。
ステップＳ２７３では、遷移元情報として登録されている情報グループを参照する。
【０１０８】
ステップＳ２７４では、利用者に再生遷移する情報グループを選択させるための遷移元リスト画面を生成して表示する。
図２４は、第３実施形態に係る情報グループの再生画面（特殊遷移処理中）の一例を示す説明図である。
図２２に示す再生画面において、利用者が遷移元ボタンＢ３を操作すると、図２４に示す遷移元リスト画面Ｄｓが表示される。図２４に示すように、この遷移元リスト画面Ｄｓは、例えば、情報グループの再生画面（メイン画面）Ｄｍに重畳して表示されるサブ画面である。
【０１０９】
遷移元リスト画面Ｄｓには、例えば、上位階層の情報グループ（同階層であって遷移元となりうる情報グループを含む）に遷移するための複数の遷移元ボタンＢ９〜Ｂ１１が配置される。この遷移元ボタンＢ９〜Ｂ１１には、画面遷移テーブルに登録されている遷移元情報の情報表示テキストが表示される。このように、図２４では、情報表示テキストが付加された遷移元ボタンＢ９〜Ｂ１１を縦方向に配置することにより、遷移元となる情報グループのリストを構成している。
また、遷移元リスト画面Ｄｓの右下領域には遷移元リスト画面Ｄｓを消去するためのとじるボタンＢ８が配置され、リスト画面Ｄｓの上領域には「どちらへ移動しますか」という再生遷移を促すメッセージが表示されている。
【０１１０】
図２３において、ステップＳ２７５では、遷移元リスト画面に配置された遷移元ボタン（図２４の遷移元ボタンＢ９〜Ｂ１１）の操作がなされたか判定する。そして、遷移元ボタンの操作がなされたと判定した場合はステップＳ２７６に移行し、遷移元ボタンの操作がなされていないと判定した場合はステップＳ２７８に移行する。
ステップＳ２７６では、操作された遷移元ボタンに対応する情報グループを再生するために、操作された遷移元ボタンに対応する遷移元情報として登録されている情報グループを参照する。
【０１１１】
ステップＳ２７７では、図１３に示す再生処理１を行う。すなわち、ステップＳ２７３又はステップＳ２７６で参照した情報グループを再生するとともに、遷移元ボタンを１つ表示する。
ステップＳ２７８では、遷移元リスト画面において、とじるボタンが操作されたか判定する。そして、とじるボタンが操作されたと判定した場合はステップＳ２７９に移行し、とじるボタンが操作されていないと判定した場合はステップＳ２７５に移行する。
ステップＳ２７９では、遷移元リスト画面を消去し、特殊遷移処理３を終了する。このとき、情報グループの再生遷移は行われない。
【０１１２】
例えば、図２４に示す再生画面（特殊遷移処理中）において、遷移元ボタンＢ９が操作されると、遷移元ボタンＢ９に対応する遷移元情報１として登録されている情報グループ１（△△△センターに関する情報）が再生される。また例えば、図２４に示す再生画面において、遷移元ボタンＢ１０が操作されると、遷移元ボタンＢ１０に対応する遷移元情報２として登録されている情報グループ２（△△△センターのお食事情報）が再生される。
【０１１３】
このように、第３実施形態においては、図１２〜１５，図２３のフローチャートに従って、情報グループの表示制御処理が行われる。
すなわち、１つの情報グループに対して遷移元となりうる複数の情報グループがある場合、制御部５１は、下位階層の情報グループ（第１コンテンツ）の再生画面において、遷移元ボタンＢ３（操作部）から操作信号が入力されたときに、遷移元となりうる複数の情報グループ（第２コンテンツ）のリストを出力部５４５のディスプレイ（表示部）に表示させるとともに、当該リストにおいて選択された情報グループの再生画面を出力部５４５のディスプレイに表示させる。
【０１１４】
第３実施形態の車載器５によれば、遷移元リスト画面において、情報表示テキストが付加された複数の遷移元ボタンが表示されるので、利用者は遷移元ボタンを操作することにより再生遷移する情報グループの内容を容易に認識することができる。また、再生遷移する上位階層の情報グループを、利用者が複数の選択肢の中から決定するので、利用者は所望の上位階層の情報グループを再生させることができる。
さらに、情報グループの再生画面には、遷移元ボタンが操作されない限り、上位階層の情報グループに再生遷移するための遷移元ボタンは１つしか配置されないので、多数の遷移元ボタンを配置することにより再生画面の表示が煩雑になるのを防止できる。
【０１１５】
（第４実施形態）
第４実施形態では、画面遷移テーブルにおいて、１つの情報グループに対して遷移元情報として複数の情報グループを登録する点は第３実施形態と同様である。遷移元情報に登録された情報グループが遷移元ボタンの操作により再生されたか否かを示す選択フラグを設け、選択フラグのオン／オフ状態に応じて遷移元ボタンが操作されたときの処理を行う点が第３実施形態と異なる。
【０１１６】
図２５は、第４実施形態に係る画面遷移テーブルの構成例を示す説明図である。
図２５では、図１８に示す画面遷移テーブルの構成に、遷移元情報１，２，・・に対応する選択フラグが追加されている。
図２５において、例えば情報グループ１については、遷移元情報１，２が“なし”であることが登録されている。
また、例えば情報グループ８については、遷移元情報１が“０００００１”（情報グループ１）、遷移元情報１の情報表示テキストが“△△△センター”、遷移元情報１の選択フラグが“オフ”、遷移元情報２が“０００００２”（情報グループ２）、遷移元情報２の情報表示テキストが“お食事情報”、遷移元情報２の選択フラグが“オン”であることが登録されている。
【０１１７】
ここで、遷移元情報以外の情報は、第１実施形態で説明した図８のステップＳ１０７において登録される。一方、遷移元情報は図８のステップＳ１０９（詳細には図９，１０）で登録される。
また、遷移元情報に対応する選択フラグは、情報グループが画面遷移テーブルに登録された当初は“オフ”に設定され、後述する特殊遷移処理４において遷移元ボタンの操作により再生される場合に“オン”に設定される。
【０１１８】
第４実施形態に係る表示制御処理は、第３実施形態において説明した処理のうち、特殊遷移処理が異なる。したがって、第４実施形態において、図１３に示す再生処理１が実行されると、出力部５４５のディスプレイには、例えば、図２２に示す再生画面が表示される（第３実施形態と同様）。そして、図２２に示す再生画面において、利用者は、遷移元ボタンＢ３を操作することにより、情報グループの再生遷移を行うこととなる。
【０１１９】
第４実施形態では、図１４におけるステップＳ２２４の特殊遷移処理は、図２６のフローチャートに従って行われる。図２６において、ステップＳ２８４，Ｓ２８５，Ｓ２８９の処理が、第３実施形態に係る特殊遷移処理３（図２３参照）と異なる。
ステップＳ２７１では、再生中の情報グループについて、画面遷移テーブルの遷移元情報が登録されているか否かを判定する。そして、遷移元情報が登録されていると判定した場合はステップＳ２８２に移行し、遷移元情報が登録されていないと判定した場合は特殊遷移処理を終了する。
【０１２０】
ステップＳ２８２では、再生中の情報グループに遷移元情報として複数の情報グループが登録されているかを判定する。そして、遷移元情報として複数の情報グループが登録されていない（遷移元情報として１つの情報グループが登録されている）と判定した場合はステップＳ２８３に移行し、複数の情報グループが登録されていると判定した場合はステップＳ２８４に移行する。
ステップＳ２８３では、遷移元情報として登録されている情報グループを参照する。
【０１２１】
ステップＳ２８４では、画面遷移テーブルにおいて、遷移元情報として登録されている複数の情報グループの中に、選択フラグがオンとなっている情報グループがあるか否かを判定する。そして、選択フラグがオンとなっている情報グループがある場合にはステップＳ２８５に移行し、選択フラグがオンとなっている情報グループがない場合にはステップＳ２８６に移行する。
【０１２２】
ステップＳ２８５では、画面遷移テーブルにおいて、選択フラグがオンとなっている遷移元情報に登録されている情報グループを参照する。つまり、画面遷移テーブルにおいて、遷移元情報に複数の情報グループが登録されていても、選択フラグがオンとなっている情報グループがあれば、遷移元ボタンを操作されたときに、この情報グループを再生させるようにしている。
例えば、図２２に示す再生画面（情報グループ８の再生画面）において、遷移元ボタンＢ３が操作されると、選択フラグがオンとなっている遷移元情報２（図２５参照）として登録されている情報コード“０００００２”の情報グループ１（△△△センターのお食事情報）が再生される。
【０１２３】
ステップＳ２８６では、利用者に再生遷移する情報グループを選択させるための遷移元リスト画面を生成して表示する。例えば、図２４に示す遷移元リスト画面が表示される。
ステップＳ２８７では、遷移元リスト画面に配置された遷移元ボタン（図２４の遷移元ボタンＢ９〜Ｂ１１）が操作されたか判定する。そして、遷移元ボタンが操作されたと判定した場合はステップＳ２７６に移行し、遷移元ボタンが操作されていないと判定した場合はステップＳ２７８に移行する。
【０１２４】
ステップＳ２８８では、操作された遷移元ボタンに対応する情報グループを再生するため、操作された遷移元ボタンに対応する遷移元情報として登録されている情報コードで指定される情報グループを参照する。
ステップＳ２８９では、ステップＳ２８８で参照した情報グループの情報コードが登録されている遷移元情報に対応する選択フラグを“オン”に設定する。
ステップＳ２９０では、図１３に示す再生処理１を行う。すなわち、ステップＳ２８３，Ｓ２８５，Ｓ２８９で参照した情報グループを再生するとともに、遷移元ボタンを１つ表示する。
【０１２５】
ステップＳ２９１では、遷移元リスト画面において、とじるボタンが操作されたか判定する。そして、とじるボタンが操作されたと判定した場合はステップＳ２９２に移行し、とじるボタンが操作されていないと判定した場合はステップＳ２８７に移行する。
ステップＳ２９３では、遷移元リスト画面を消去し、特殊遷移処理４を終了する。
【０１２６】
このように、第４実施形態においては、図１２〜１５，図２４のフローチャートに従って、情報グループの表示制御処理が行われる。
すなわち、制御部５１は、遷移元リスト画面において選択された情報グループに対応する選択フラグを“オン”に設定し、下位階層の情報グループ（第１コンテンツ）の再生画面において、遷移元ボタンＢ３（操作部）から操作信号が入力されたときに、選択フラグがオンに設定されている情報グループ（第２コンテンツ）の再生画面を出力部５４５のディスプレイ（表示部）に表示させる。
第４実施形態の車載器５によれば、遷移元情報として複数の情報グループが登録されている場合でも、利用者が過去に遷移元として選択していれば、その情報グループを自動的に再生するので、利用者が再生遷移する情報グループを選択する操作は必要なくなる。なお、選択フラグが“オン”に設定された情報グループは過去に利用者の選択操作により再生遷移された情報グループであり、再生中の情報グループの遷移元として利用者が所望する情報グループであると考えられるため、自動的に再生遷移させることにより問題が生じる虞は少ない。
【０１２７】
（第５実施形態）
第５実施形態では、画面遷移テーブルにおいて、１つの情報グループに対して遷移元情報として複数の情報グループを登録する点は第３実施形態と同様である。上位階層の情報グループから再生遷移が行われたことを示す遷移元履歴を設け、遷移元履歴に登録されている情報グループの有無に応じて遷移元ボタンが操作されたときの処理を行う点が第３実施形態と異なる。
【０１２８】
図２７は、第５実施形態に係る画面遷移テーブルの構成例を示す説明図である。
図２７では、図１８に示す画面遷移テーブルの構成に、遷移元履歴が追加されている。
図２７において、例えば情報グループ８については、遷移元履歴として、情報コード“０００００１”（情報グループ１）が登録されている。つまり、情報グループ１の再生画面において、遷移先ボタン（例えば、８番の遷移先ボタン）が操作されることにより情報グループ８は再生されたことがあることを示している。
【０１２９】
ここで、遷移元情報以外の情報は、第１実施形態で説明した図８のステップＳ１０７において登録される。一方、遷移元情報は図８のステップＳ１０９（詳細には図９，１０）で登録される。
また、遷移元履歴は、情報グループが画面遷移テーブルに登録された当初は登録されず、後述する通常遷移処理２において遷移先ボタンの操作により再生された場合に、遷移元の情報グループの情報コードが登録される。
【０１３０】
第５実施形態に係る表示制御処理は、第３実施形態において説明した処理のうち、通常遷移処理、特殊遷移処理が異なる。したがって、第５実施形態において、図１３に示す再生処理１が実行されると、出力部５４５のディスプレイには、例えば、図２２に示す再生画面が表示される（第３実施形態と同様）。そして、図２２に示す再生画面において、利用者は、遷移元ボタンＢ３を操作することにより、情報グループの再生遷移を行うこととなる。
【０１３１】
第５実施形態では、図１４におけるステップＳ２２３の通常遷移処理は、図２８のフローチャートに従って行われる。
図２８において、ステップＳ３０１では、操作されたボタン番号に対応する情報グループを参照する。
ステップＳ３０２では、ステップＳ３０１で参照した情報グループの遷移元履歴として、現在再生中の情報グループを登録する。
ステップＳ３０３では、図１３に示す再生処理１を行う。すなわち、ステップＳ３０１で参照した情報グループを再生するとともに、遷移元ボタンを表示する。
この通常遷移処理２により、画面遷移テーブルの遷移元履歴が登録される。すなわち、制御部５１は、次再生情報コードに基づいて上位階層の情報グループ（第２コンテンツ）から下位階層の情報グループ（第１コンテンツ）への再生遷移（通常遷移）が行われたときに、この下位階層の情報グループの遷移元履歴として、遷移元の上位階層の情報グループを登録する。
【０１３２】
第５実施形態では、図１４におけるステップＳ２２４の特殊遷移処理は、図２９のフローチャートに従って行われる。
ステップＳ３１１では、再生中の情報グループについて、画面遷移テーブルの遷移元情報が登録されているか否かを判定する。そして、遷移元情報が登録されていると判定した場合はステップＳ３１２に移行し、遷移元情報が登録されていないと判定した場合は特殊遷移処理を終了する。
【０１３３】
ステップＳ３１２では、再生中の情報グループについて、画面遷移テーブルの遷移元履歴が登録されているか否かを判定する。そして、遷移元履歴が登録されていると判定した場合はステップＳ３１３に移行し、遷移元履歴が登録されていないと判定した場合はステップＳ３１５に移行する。
ステップＳ３１３では、遷移元履歴に登録されている情報グループを参照する。例えば、図２７に示す画面遷移テーブルにおいて、情報グループ８については、遷移元履歴として情報グループ１が登録されているので、情報グループ１が参照される。
【０１３４】
ステップＳ３１４では、図１３に示す再生処理１を行う。すなわち、制御部５１は、下位階層の情報グループ（第１コンテンツ）の再生画面において、遷移元ボタンから操作信号が入力されたときに、遷移元履歴に設定されている上位階層の情報グループ（第２コンテンツ）の再生画面を出力部５４５のディスプレイ（表示部）に表示させる。
ステップＳ３１５では、図２３に示す特殊遷移処理３を行う。
【０１３５】
このように、第５実施形態においては、図１２〜１４，図２８，２９のフローチャートに従って、情報グループの表示制御処理が行われる。
第５実施形態の車載器５によれば、遷移元情報として複数の情報グループが登録されている場合でも、上位階層の情報グループの再生画面において利用者が過去に遷移先に指定して下位階層の情報グループへの再生遷移を行っていれば、この下位階層の情報グループの再生画面において遷移元ボタンが操作されたときに、前記遷移元である上位階層の情報グループを自動的に再生するので、利用者が再生遷移する情報グループを選択する操作は必要なくなる。また、かかる再生遷移は、利用者の再生傾向を反映したものであるため、自動的に再生遷移させることにより問題が生じる虞は少ない。
【０１３６】
（第６実施形態）
第６実施形態では、画面遷移テーブルにおいて、１つの情報グループに対して遷移元情報として複数の情報グループを登録する点は第３実施形態と同様である。遷移元情報に登録された情報グループが、上位階層の情報グループの遷移先として選択された回数を計数し、この計数値（画面遷移カウンタ）に応じて遷移元ボタンが操作されたときの処理を行う点が第３実施形態と異なる。
【０１３７】
図３０は、第６実施形態に係る画面遷移テーブルの構成例を示す説明図である。
図３０では、図１８に示す画面遷移テーブルの構成に、遷移元情報１，２，・・に対応する画面遷移カウンタが追加されている。
図３０において、例えば情報グループ８については、遷移元情報１が“０００００１”（情報グループ１）、遷移元情報１の情報表示テキストが“△△△センター”、遷移元情報１の画面遷移カウンタが“１”、遷移元情報２が“０００００２”（情報グループ２）、遷移元情報２の情報表示テキストが“お食事情報”、遷移元情報２の画面遷移カウンタが“４”であることが登録されている。つまり、情報グループ８は、情報グループ１よりも情報グループ２から再生遷移される傾向にある。
【０１３８】
ここで、遷移元情報以外の情報は、後述する図３１のステップＳ１４７において登録される。一方、遷移元情報は図８のステップＳ１０９（詳細には図９，１０）で登録される。
また、遷移元情報に対応する画面遷移カウンタは、情報グループが画面遷移テーブルに登録された当初は“０”に設定され、後述する通常遷移処理３において遷移先ボタンの操作により再生されるごとに１加算される。
【０１３９】
図３１は、第６実施形態に係る受信処理（受信処理２）の一例を示すフローチャートである。
図３１に示すように、第６実施形態に係る受信処理２では、図８に示す受信処理１にステップＳ１４８の処理が追加されている。このステップＳ１４８の処理により、情報グループが画面遷移テーブルに登録されると、画面遷移カウンタは“０”に設定される。
受信処理２のその他の処理については、図８に示す受信処理１と同様であるので説明を省略する。
【０１４０】
第６実施形態に係る表示制御処理は、第３実施形態において説明した処理のうち、通常遷移処理、特殊遷移処理が異なる。したがって、第６実施形態において、図１３に示す再生処理１が実行されると、出力部５４５のディスプレイには、例えば、図２２に示す再生画面が表示される（第３実施形態と同様）。そして、図２２に示す再生画面において、利用者は、遷移元ボタンＢ３を操作することにより、情報グループの再生遷移を行うこととなる。
【０１４１】
第６実施形態では、図１４におけるステップＳ２２３の通常遷移処理は、図３２のフローチャートに従って行われる。
図３２において、ステップＳ３２１では、操作されたボタン番号に対応する情報グループを参照する。
ステップＳ３２２では、ステップＳ３２１で参照した情報グループの遷移元情報のうち、現在再生中の情報グループが登録されている遷移元情報に対応する画面遷移カウンタを１加算する。例えば、図３０に示す画面遷移テーブルにおける情報グループ１の再生画面において、情報グループ８が遷移先として選択され再生遷移されると、情報グループ８の遷移元情報１の画面遷移カウンタが１加算される。
【０１４２】
ステップＳ３２３では、図１３に示す再生処理１を行う。すなわち、ステップＳ３０１で参照した情報グループを再生するとともに、遷移元ボタンを表示する。
すなわち、制御部５１は、次再生情報コードに基づいて上位階層の情報グループ（第２コンテンツ）から下位階層の情報グループ（第１コンテンツ）への再生遷移（通常遷移）が行われたときに、この下位階層の情報グループの遷移元情報のうち、現在再生中の情報グループが登録されている遷移元情報に対応する画面遷移カウンタを１加算する。
【０１４３】
第６実施形態では、図１４におけるステップＳ２２４の特殊遷移処理は、図３３のフローチャートに従って行われる。
ステップＳ３３１では、再生中の情報グループについて、画面遷移テーブルの遷移元情報が登録されているか否かを判定する。そして、遷移元情報が登録されていると判定した場合はステップＳ３３２に移行し、遷移元情報が登録されていないと判定した場合は特殊遷移処理を終了する。
【０１４４】
ステップＳ３３２では、画面遷移カウンタ値が最大となっている情報グループが１つか否かを判定する。そして、画面遷移カウンタ値が最大となっている情報グループが１つであると判定した場合はステップＳ３３３に移行し、１つでないと判定した場合はステップＳ３３５に移行する。
ステップＳ３３３では、画面遷移カウンタ値が最大である遷移元情報に登録されている情報グループを参照する。例えば、図３０に示す画面遷移テーブルにおいて、情報グループ８については、遷移元情報２の画面遷移カウンタ値が最大となっているので、情報グループ２が参照される。
【０１４５】
ステップＳ３３４では、図１３に示す再生処理１を行う。すなわち、制御部５１は、下位階層の情報グループ（第１コンテンツ）の再生画面において、遷移元ボタンから操作信号が入力されたときに、当該下位階層の情報グループを遷移先として再生遷移した回数が最も多い上位階層の情報グループ（第２コンテンツ）の再生画面を出力部５４５のディスプレイ（表示部）に表示させる。
ステップＳ３１５では、図２３に示す特殊遷移処理３を行う。
【０１４６】
このように、第６実施形態においては、図１２〜１４，図３２，３３のフローチャートに従って、情報グループの表示制御処理が行われる。
第６実施形態の車載器５によれば、遷移元情報として複数の情報グループが登録されている場合でも、上位階層の情報グループの再生画面において利用者が過去に遷移先に指定して下位階層の情報グループへの再生遷移を行い、その傾向が偏っていれば、この下位階層の情報グループの再生画面において遷移元ボタンが操作されたときに、前記遷移元となっている頻度の高い上位階層の情報グループを自動的に再生するので、利用者が再生遷移する情報グループを選択する操作は必要なくなる。また、かかる再生遷移は、利用者の再生傾向を反映したものであるため、自動的に再生遷移させることにより問題が生じる虞は少ない。
【０１４７】
以上、本発明者によってなされた発明を実施形態に基づいて具体的に説明したが、本発明は上記実施形態に限定されるものではなく、その要旨を逸脱しない範囲で変更可能である。
例えば、第１から第６実施形態で説明した情報グループの表示制御処理は、適宜組み合わせて利用することが可能である。
また、上記実施形態では、情報グループの再生遷移を行うための操作部（遷移先ボタン、遷移元ボタン）を出力部５４５のディスプレイに表示させる、いわゆるソフトキーで構成しているが、操作部をハードキーで構成し、ディスプレイ内のハードキーに近接する領域に、ハードキーに対応付けた情報を表示させるようにしてもよい。
【０１４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４９】
【図１】本実施形態に係る路車間通信システム１００のシステム構成を示す説明図である。
【図２】センター装置１及び路側無線装置２の内部構成を示すブロック図である。
【図３】路側無線装置２の通信可能範囲である路側エリアＺの説明図である。
【図４】車両Ｃに搭載される車載器５の一構成例を示すブロック図である。
【図５】センター装置１から配信されるコンテンツのデータ構造の一例について示す説明図である。
【図６】情報グループを構成する各要素の詳細内容の一例を示す説明図である。
【図７】第１実施形態に係る画面遷移テーブルの構成例を示す説明図である。
【図８】第１実施形態に係る受信処理（受信処理１）の一例について示すフローチャートである。
【図９】遷移元情報確認処理の一例について示すフローチャートである。
【図１０】遷移元情報登録処理の一例について示すフローチャートである。
【図１１】第１実施形態において遷移元情報を登録する際の優先ルールの一例について示す説明図である。
【図１２】表示制御処理の一例について示すフローチャートである。
【図１３】第１実施形態に係る再生処理（再生処理１）の一例について示すフローチャートである。
【図１４】画面遷移処理の一例について示すフローチャートである。
【図１５】第１実施形態に係る通常遷移処理（通常遷移処理１）の一例について示すフローチャートである。
【図１６】第１実施形態に係る特殊遷移処理（特殊遷移処理１）の一例について示すフローチャートである。
【図１７】第１実施形態に係る情報グループの再生画面の一例を示す説明図である。
【図１８】第２実施形態に係る画面遷移テーブルの構成例を示す説明図である。
【図１９】第２実施形態に係る再生処理（再生処理２）の一例について示すフローチャートである。
【図２０】第２実施形態に係る特殊遷移処理（特殊遷移処理２）の一例について示すフローチャートである。
【図２１】第２実施形態に係る情報グループの再生画面の一例を示す説明図である。
【図２２】第３実施形態に係る情報グループの再生画面の一例を示す説明図である。
【図２３】第３実施形態に係る特殊遷移処理（特殊遷移処理３）の一例について示すフローチャートである。
【図２４】第３実施形態に係る情報グループの再生画面（特殊遷移処理中）の一例を示す説明図である。
【図２５】第４実施形態に係る画面遷移テーブルの構成例を示す説明図である。
【図２６】第４実施形態に係る特殊遷移処理（特殊遷移処理４）の一例について示すフローチャートである。
【図２７】第５実施形態に係る画面遷移テーブルの構成例を示す説明図である。
【図２８】第５実施形態に係る通常遷移処理（通常遷移処理２）の一例について示すフローチャートである。
【図２９】第５実施形態に係る特殊遷移処理（特殊遷移処理５）の一例について示すフローチャートである。
【図３０】第６実施形態に係る画面遷移テーブルの構成例を示す説明図である。
【図３１】第６実施形態に係る受信処理（受信処理２）の一例を示すフローチャートである。
【図３２】第６実施形態に係る通常遷移処理（通常遷移処理３）の一例について示すフローチャートである。
【図３３】第６実施形態に係る特殊遷移処理（特殊遷移処理６）の一例について示すフローチャートである。
【符号の説明】
【０１５０】
１  センター装置
２  路側無線装置
５  車載器
５１  制御部
５２  ＤＳＲＣ部
５３  ＶＩＣＳモジュール
５４  カーナビ部
５４１  カーナビ制御部
５４５  出力部
５４６  記憶部
１００  路車間通信システム
Ｃ  車両
Ｎ  ネットワーク
【図１】
0005012557.tif 000002
【図２】
0005012557.tif 000003
【図３】
0005012557.tif 000004
【図４】
0005012557.tif 000005
【図５】
0005012557.tif 000006
【図６】
0005012557.tif 000007
【図７】
0005012557.tif 000008
【図８】
0005012557.tif 000009
【図９】
0005012557.tif 000010
【図１０】
0005012557.tif 000011
【図１１】
0005012557.tif 000012
【図１２】
0005012557.tif 000013
【図１３】
0005012557.tif 000014
【図１４】
0005012557.tif 000015
【図１５】
0005012557.tif 000016
【図１６】
0005012557.tif 000017
【図１７】
0005012557.tif 000018
【図１８】
0005012557.tif 000019
【図１９】
0005012557.tif 000020
【図２０】
0005012557.tif 000021
【図２１】
0005012557.tif 000022
【図２２】
0005012557.tif 000023
【図２３】
0005012557.tif 000024
【図２４】
0005012557.tif 000025
【図２５】
0005012557.tif 000026
【図２６】
0005012557.tif 000027
【図２７】
0005012557.tif 000028
【図２８】
0005012557.tif 000029
【図２９】
0005012557.tif 000030
【図３０】
0005012557.tif 000031
【図３１】
0005012557.tif 000032
【図３２】
0005012557.tif 000033
【図３３】
0005012557.tif 000034